(57)【要約】  ある量の有粘度材料と水を混合するためのポッド。ポッドは、側壁と、同側壁の周りに配置されたベースを備えることができる。ベースは、幾つかの開孔及び幾つかの棘部を備えることができる。これの棘部は、約３°から約１５°の頂点を備えることができる。  【選択図】図２０
2009537239.tif 000002
【特許請求の範囲】
【請求項１】
ある量の粘着性材料と水を混合するためのポッドであって、
側壁と、
前記側壁の周りに配置されたベースと、を備え、
前記ベースが、複数の開孔と複数の棘部とを備え、
前記複数の棘部が、約３°から約１５°の頂点を備えるポッド。
【請求項２】
前記複数の棘部が、１５個から３５個の棘部を含む請求項１に記載のポッド。
【請求項３】
前記複数の棘部が、約５．１から約８．９ミリメートル（約０．２から約０．３５インチ）の高さを有する請求項１に記載のポッド。
【請求項４】
前記複数の棘部の周りに配置された濾紙層をさらに備え、
前記複数の棘部は、前記有粘度材料が前記濾紙層を通過しないように、前記濾紙層を穿孔する請求項１に記載のポッド。
【請求項５】
ある量の材料と水を混合するためのポッドであって、
側壁と、
前記側壁の周りに配置されたベースと、を備え、
前記ベースが、複数の開孔と複数の同心リングとを備えるポッド。
【請求項６】
前記複数の同心リングが３個のリングを含む請求項５に記載のポッド。
【請求項７】
前記複数の同心リングが、約０．８から約３．２ミリメートル（約０．０３から約０．１２５インチ）の高さを有する請求項５に記載のポッド。
【請求項８】
前記複数の同心リングの周りに配置された濾紙層をさらに備え、
前記ベースは、それを貫通する約１１平方センチメートル（約１．７平方インチ）の流れ領域を備える請求項５に記載のポッド。
【請求項９】
前記複数の開孔及び前記複数の同心リングは、複数の別個の通過性の流れ区域を備える請求項５に記載のポッド。
【請求項１０】
ある量の材料と水を混合するためのポッドであって、
側壁と、
前記側壁の周りに配置されたベースであって、複数の開孔と複数のプラットホームとを備えるベースと、
前記複数のプラットホームの周りに配置された濾紙層を備え、
前記ベース、前記複数のプラットホーム及び前記濾紙層が、前記開孔の周りに混合領域を画成するポッド。
【請求項１１】
前記複数のプラットホームは、１５個から３５個のプラットホームを含む請求項１０に記載のポッド。
【請求項１２】
前記複数のプラットホームは、約２から約３．２ミリメートル（約０．０８から約０．１２５インチ）の高さを有する請求項１０に記載のポッド。
【発明の詳細な説明】
【技術分野】
【０００１】
本願は、一般に、材料を抽出するための容器に関し、より詳細には、コーヒー、茶及びその他の飲料の自動抽出に使用するためのポッドに関する。
【背景技術】
【０００２】
様々な種類の自動のコーヒー及び茶ディスペンサーが知られている。一般に、これらのディスペンサーは、一定量の粉挽きされたコーヒー、茶葉、又は別の種類の抽出可能な材料を、ある種の容器内に保持する。飲料を抽出するために、湯が一般に材料に加えられる。材料は一般に、何らかの使い捨て容器内に保持され、その使い捨て容器は、湯の通過が可能になるように開口されたり、貫通されたりしなければならない。
【０００３】
しかしながら、これら周知の抽出装置に伴う１つの欠点は、抽出材料と接触する装置の要素を、一般に浄化しなければならないことである。さらに、この材料用の容器は、飲料毎にディスペンサー内に挿入され、位置合せされなければならない。その結果、飲料ディスペンサーは総じて飲料サイクル間で幾分遅くなることがあり、これは、容器を挿入し、位置合せし、取出し、且つ／又は供給要素を洗浄するからである。
【発明の開示】
【発明が解決しようとする課題】
【０００４】
したがって、迅速なサイクル時間で飲料を抽出する装置が所望されている。同装置は、好ましくは、比較的安価で、使用が容易で、しかも高品質の飲料を製造する。同様に、該装置は、好ましくは、様々な種類の抽出材料又は混合材料及び材料量に適合可能である。
【課題を解決するための手段】
【０００５】
そこで、本願は、ある量の粘着性材料（tacky material）と水とを混合するためのポッドを記載する。ポッドは、側壁と、側壁の周りに配置されたベースと、を備えることができる。ベースは、いくつかの開孔及びいくつかの棘部を備えることができる。棘部は、約３°から約１５°の頂点を有することができる。
【０００６】
棘部の個数は、１５個から３５個の棘部を含むようにすることができる。棘部は、約５．１から約８．９ミリメートル（約０．２から約０．３５インチ）の高さを有しても良い。ポッドは、棘部の周りに配置された濾紙層をさらに備えることができ、棘部は、濾紙層を粘着性材料が通過しないように濾紙層を刺穿する。
【０００７】
本願は、さらに、ある量の材料と水を混合するためのポッドを記載する。ポッドは、側壁、及び側壁の周りに配置されたベースを備えることができる。ベースは、いくつかの開孔及びいくつかの同心リングを備えることができる。
【０００８】
同心リングは、３個のリングを備えることができる。同心リングは、約０．８から約３．２ミリメートル（約０．０３から約０．１２５インチ）の高さを有しても良い。ポッドは、複数の同心リングの周りに配置された濾紙層をさらに備え、ベースは、それを貫通する約１１平方センチメートル（約１．７平方インチ）の流れ領域を備えても良い。開孔及び同心リングは、それを通る幾つかの別個の流れ区域を備えることができる。
【０００９】
本願は、さらに、ある量の材料と水を混合するためのポッドを記載する。ポッドは、側壁と、側壁の周りに配置されたベースと、を備えることができる。ベースは、いくつかの開孔及びいくつかのプラットホームを備えていても良い。濾紙層は、プラットホームの周りに配置することができる。ベース、複数のプラットホーム及び濾紙層が、開孔の周りに混合領域を画成する。
【００１０】
プラットホームは、１５個から３５個のプラットホームを備えることができる。プラットホームは、約２から約３．２ミリメートル（約０．０８から約０．１２５インチ）の高さを有することができる。
【発明を実施するための最良の形態】
【００１１】
ここで、図面を参照すると、幾つかの図に渡って同様の番号が同様の要素を示し、図１及び図２は、飲料ディスペンサーシステム１００の一例を示している。これらの図には、ポッド抽出装置３００が図示されている。ポッド抽出装置３００は、熱交換器１５０を備えることができ、熱交換器１５０は、湯溜め１６０内に配置され、注入ノズル２００と連通する。この実施形態では、飲料ディスペンサーシステム１００の要素は全体的に、ディスペンサーフレーム３０５上に取付けられる。ディスペンサーフレーム３０５は、ステンレス鋼、アルミニウム、別の種類の金属、又は別の種類の実質的に非腐食性の材料で製作することができる。
【００１２】
注入ノズル２００は、カップ２３０又は任意の別種類の受容器内に所望の飲料を製造するように、１つ又は複数のポッドカートリッジ２１０と相互作用することができる。ポッドカートリッジ２１０は、タレットアッセンブリ３１０内の飲料ディスペンサーシステム１００内に配置することができる。タレットアッセンブリ３１０は、ディスペンサーフレーム３０５に固定的に取付けることができる。図３に示すように、タレットアッセンブリ３１０は、タレットフレーム３２５内に配置されたタレットプレート３２０を備えることができる。タレットフレーム３２５は、ステンレス鋼、アルミニウム、その他の種類の従来の金属、又は同様の種類の実質的に非腐食性の素材で製作することができる。タレットプレート３２０は、実質的に円形とすることができる。タレットプレート３２０は、幾つかのポッド開口３３０を備えることができる。ポッド開口３３０は、ポッドカートリッジ２１０を収容するような大きさにすることができる。タレットプレート３２０は、タレットピン３４０の周りで回転することができる。タレットモータ３５０は、タレットアッセンブリ３１０を駆動することができる。タレットモータ３５０は、従来の交流モータ又は同種の装置とすることができる。タレットモータ３５０は、タレットアッセンブリ３１０を毎分約６回転から約３０回転で駆動することができるが、毎分約２５回転が好ましい。
【００１３】
タレットプレート３２０はまた、その周縁の周りに配置された幾つかの戻止め３６０を有することができる。戻止め３６０は、各タレット開口３３０の周りに配置することができる。戻止め３６０は、１つ又は複数個のリミットスイッチ３６５と協働して、タレットプレート３２０の回転を制御することができる。プレート３２０の回転は、リミットスイッチ３６０が戻止め３６０のうちの１つに遭遇するときに停止させることができる。
【００１４】
タレットアッセンブリ３１０に隣接して、注入器アッセンブリ４００を配置することができる。注入器アッセンブリ３１０は、ディスペンサーフレーム３０５に固定的に取付けることができる。注入器アッセンブリ４００はまた、タレットアッセンブリ３１０の上方に延在する注入器フレーム４１０を備えることができる。注入器フレーム４１０は、ステンレス鋼、別の種類の金属、又は同様の種類の実質的に非腐食性の材料で製作すれば良い。
【００１５】
図４及び図５に示すように、注入器アッセンブリ４００は、上記で説明したような注入ノズル２００を備えることができる。注入ノズル２００は、必要な場合はポッドカートリッジ２１０を穿通するための細い先端を有することができ、又は、ポッドカートリッジ２１０全体を収容するための広い口部を有することができる。注入器アッセンブリ４００は、注入ノズル２００と協働する注入器ヘッド４２０を備えることができる。注入器ヘッド４２０は、ポッドカートリッジ２１０よりも直径をわずかに大きくすることができる。注入器ヘッド４２０もまた、ステンレス鋼、プラスチック、又は同様の種類の実質的に非腐食性の材料で製作することができる。注入器ヘッド４２０は、その下方周縁の周りに配置された封止リング４３０を備えることができる。封止リング４３０は、ゴム、シリコーン、又は別の種類の弾性材料で製作することができ、それにより注入器ヘッド４２０とポッドカートリッジ２１０との間に、実質的に水密の封止部を形成することができる。熱交換器１５０は、注入器ヘッド４２０と連通して、高温の加圧された水をポッドカートリッジ２１０に提供することができる。
【００１６】
注入器ヘッド４２０は、カムシステム４４０によって、実質的に垂直な平面内で運動させることができる。（「垂直」及び「水平」という用語は、絶対位置と対照的な基準として使用される。注入器ヘッド４２０及び本発明に記載される別の要素は、任意の向きで動作することができる。）カムシステム駆動モータ４５０は、カムシステム４４０を駆動することができる。駆動モータ４５０は、上記で説明したタレットモータ３５０と同様の、従来の交流モータとすることができる。駆動モータ４５０は、また、隈取モータ又は直流式のモータとすることができる。駆動モータ４５０は、駆動ベルトシステム４７０を介して偏心カム４６０を回転させることができる。駆動モータ４５０及び歯車システム４７０は、偏心カム４６０を毎分約６回転から約３０回転で駆動することができるが、毎分約２５回転が好ましい。偏心カム４６０は、その下方位置が約４．１から約４．８センチメートル（約１．６から１．９インチ）の半径を有することができる一方、その上方位置が約３．５から４．１センチメートル（約１．３から約１．７インチ）の半径を有することができるような形状とすることができる。
【００１７】
偏心カム４６０は、従動ホイール４８０と協働することができる。従動ホイール４８０は、支持プレート４９０と連絡させ、且つ支持プレート４９０内に取付けることができる。支持プレート４９０は、注入器フレーム４１０の周りで操作することができる。支持プレート４９０は、ステンレス鋼、別の種類の鋼、プラスチック、又は別の材料で製作することができる。支持プレート４９０は、注入器ヘッド４２０に固定的に取付けることができる。支持プレート４９０は、その上に配置された幾つかの案内車５００を有することができ、それにより支持プレート４９０は、注入器フレーム４１０内で垂直方向に動くことができる。戻しばね５２０もまた、支持プレート及び注入器フレーム４１０に取付けることができる。リミットスイッチ５３０をカム４６０の周りに配置することができ、それによりカム４６０は、ある大きさを超えて回転することができなくなる。
【００１８】
したがって、注入器ヘッド４２０は、カムシステム４４０によって垂直方向で上下に操作することができる。具体的には、駆動モータ４５０が、歯車システム４７０を介して偏心カム４６０を回転させることができる。偏心カム４６０が最も大きい半径で回転するとき、従動ホイール４８０は支持プレート４９０を下向きに押し、それにより注入器ヘッド４２０が、ポッドカートリッジ２１０と接触する。偏心カム４６０は、注入器ヘッド４２０を、約６．４から約１２．７ミリメートル（約１／４から約１／２インチ）下降させることができる。注入器ヘッド４２０がポッドカートリッジ２１０と接触すると、偏心カム４６０は、リミットスイッチ５３０に到達するまで回転し続け、ポッドカートリッジ２１０上の圧力を上昇させることができる。注入器ヘッド４２０は、約１３６から１６０キログラム（約３００から３５０ポンド）の下向きの力で、ポッドカートリッジ２１０に係合することができる。封止リング４３０はこうして、ポッドカートリッジ２１０の周りで実質的に気密及び水密の封止部を形成することができる。駆動モータ４５０は、カム４６０を所定の期間にわたり定位置に保持することができる。次いでカムシステム４４０を反転させ、それにより注入器ヘッド４２０をその元の位置に戻すことができる。
【００１９】
注入器ヘッド４２０の注入ノズル２００がポッドカートリッジ２１０と接触すると、高温高圧の水が、熱交換器１５０から注入器ヘッド４２０内へと流れることができる。水は、約８２℃から約９３℃（約１８０から約２００°Ｆ）とすることができる。流入する水流は、約１１から約１４重量キログラム毎平方センチメートル（約１６０から２００重量ポンド毎平方インチ）で加圧することができる。ポッドカートリッジ２１０を通過する水の圧力は、約１．４から約１４重量キログラム毎平方センチメートル（約２０から約２００重量ポンド毎平方インチ）とすることができる。ポッドカートリッジ２１０を通って流れる水の圧力は、飲料の性質とともに変えることができる。
【００２０】
図６及び図７に示すように、ポッドカートリッジ２１０は、様々な種類の粉砕物、葉、或いは別の種類の抽出又は混合材料５５０で、充填することができる。約３０ミリリットルの１杯分のエスプレッソ飲料の場合、約６から約８グラムのエスプレッソ粉砕物をポッドカートリッジ２１０内に配置することができる。同様に、約２４０ミリリットル（約８オンス）の一杯のコーヒーを製造するために、約６から約８グラムのコーヒー粉砕物をポッドカートリッジ２１０に加えることができる。約１５０ミリリットル（約５オンス）の一杯の茶を作るために、約３から約５グラムの茶葉をポッドカートリッジ２１０に加えることができる。抽出材料５５０の量は、所望されるように変えることができる。
【００２１】
抽出材料５５０は、１つ又は複数の濾紙層５６０内に配置することができる。濾紙５６０は、飲料の通過を可能にしながら抽出材料５５０をまとめるために使用される、標準的な濾紙とすることができる。ポッドカートリッジは、上方濾過層５７０及び下方濾過層５８０を有することができる。抽出材料５５０自体を、上方濾過層５７０と下方濾過層５８０の間に直接配置することができる。或いは抽出材料５５０を、ホイル包装５９０内に配置することができる。ホイル包装５９０は、その中で抽出材料５５０を新鮮に、周囲の空気と接触させずに保つように働くことができる。或いは、ポッドカートリッジ２１０全体を、その使用準備ができるまで、個別に又はグループとしてホイル包装内に配置することができる。ホイル包装５９０の使用は、必須ではない。
【００２２】
図８から図１２は、ポッドカートリッジ２１０の一実施形態を示している。このポッドカートリッジ２１０は、飲料ディスペンサーシステム１００とともに、又は別の種類の飲料システムにおいて、使用することができる。ポッドカートリッジ２１０は、実質的にカップ６００の形状とすることができる。カップ６００は、ポリスチレン、ポリエチレン、又はポリプロピレンなど、従来の熱可塑性物質で製作することができる。或いは、ステンレス鋼、又は別の種類の実質的に非腐食性の材料を使用することもできる。カップ６００は、実質的に剛性とすることができる。
【００２３】
カップ６００は、実質的に円形の側壁６１０及び実質的に平坦なベース６２０を備えることができる。カップ６００の側壁６１０及びベース６２０は、成形されて一体の要素を形成することができ、又は、別個の側壁６１０と別個のベース６２０を、互いに固定的に取付けることができる。側壁６１０及びベース６２０、並びにカップ６００全体は、任意の都合の良い直径を有して、タレットアッセンブリ３１０のタレットプレート３２０のポッド開口３３０、及び注入器アッセンブリ４００の注入器ヘッド４２０を収容することができる。或いは、カップ６００の側壁６１０及びベース６２０は、任意の都合の良い直径を有して、任意の別の種類の飲料ディスペンサーシステム１００を収容することができる。
【００２４】
カップ６００の側壁６１０は、任意の都合の良い深さを有して、適当な量の抽出材料５５０を収容することができる。この実施形態では、側壁６１０は、約３．９センチメートル（約１．５３５インチ）の内径、約４．０３センチメートル（約１．５８６インチ）の内径、及び約１．２９５ミリメートル（約０．０５１インチ）の壁厚を有することができる。側壁６１０はまた、約２．４３センチメートル（約０．９５５インチ）の深さを有し、ベース６２０は、約０．３１８センチメートル（約０．１２５インチ）の追加の深さを有することができる。そのような構成の、カップ６００の側壁６１０及びベース６２０は、所望の飲料の大きさ、すなわち８、１２又は１６オンスに応じて、約６から約１６グラムの抽出材料５５０を保持することができる。これらの寸法は、例示のためのものに過ぎない。カップ６００の側壁６１０及びベース６２０は、任意の所望の又は都合の良い大きさ又は形状とすることができる。例えば側壁６１０は、所望される場合、直線状にし、先細にし、階段状にし、又は湾曲させることができる。
【００２５】
ベース６２０は、底床部６３０を備えることができる。底床部６３０は、その中に形成された幾つかの開孔６４０を備えることができる。開孔６４０は、床部６３０の幅全体にわたり延在することができる。この実施形態では、開孔６４０は、約１．６ミリメートル（約０．０６６インチ）の直径を有するほぼ円形形状とすることができる。ただし、任意の所望の形状又は大きさを使用することができる。この実施形態では、約５４個の開孔６４０がここで使用されるが、任意の個数を使用することができる。ベース６２０は、また、床部６３０を支持する幾つかの支持リブ６５０を備えることができる。内側円形リブ６６０、外側円形リブ６７０及び幾つかの径方向リブ６８０を使用することができる。任意の設計又は個数のリブ６６０を、使用することができる。この実施形態では、リブ６５０は、約２．５４ミリメートル（約０．１インチ）の深さを有することができ、床部６３０は、約１．７８ミリメートル（約０．０７インチ）の深さを有することができるが、任意の所望の厚さを使用することができる。
【００２６】
カップ６００の側壁６１０は、また、上方リップ７００を備えることができる。上方リップ７００は、実質的に平坦な頂部７１０と、頂部７１０から延出する下向きの角度のフランジ７２０と、を備えることができる。フランジ７２０は、下向きに延出して、側壁６１０とともにポケット７３０を形成することができる。ポケット７３０の頂部は、湾曲した内側放射状部分７３５を形成することができる。図１３に示すように、側壁６１０は、ポケット７３０内に、外部段差７４０を備えていても備えていなくても良い。
【００２７】
この実施形態では、また単なる例として、上方リップ７００の平坦な頂部７１０は、垂直方向に延在する約２．５４ミリメートル（約０．１インチ）の幅を有することができる。フランジ７２０は、約２．２ミリメートル（約０．０８７インチ）の長さを有することができる。リップ７００のフランジ７２０及びポケット７３０は、ポッド開口３３０の大きさを収容するような大きさである。具体的には、リップ７００は、可能な限り少ない材料を使用しながら、ポッド開口３３０の大きさ及び注入器ヘッド４２０の予想される力を許容するように構成される。
【００２８】
図１４及び図１５は、カップ６００のさらなる実施形態を示す。この実施形態では、カップ６００の側壁６１０は、その内部に形成された幾つかの過剰切込７６０を備えることができる。この実施形態では、第１の過剰切込７７０及び第２の過剰切込７８０を使用することができる。ただし、任意の個数の過剰切込７６０を使用することができる。過剰切込７６０は、側壁６１０の内部円周の周りで連続的にすることができ、又は過剰切込７６０は、間欠的にすることができる。過剰切込７６０は、蓋７９０と協働することができる。蓋７９０は、縁部８００を有することができ、縁部８００は、実質的に楔形状であり、過剰切込７６０に嵌り、その内部に留まる。楔形状の縁部８００を使用することにより、蓋７９０は確実に定位置に留まる。縁部８００は、過剰切込７６０と結合するように、連続的又は間欠的にすることができる。蓋７９０は好ましくは、内向きに湾曲させられ、又は大幅に凹んだ形状である。
【００２９】
蓋７９０は、カップ６００内への配置が望まれる抽出材料５５０の量に応じて、第１の過剰切込７７０又は第２の過剰切込７８０内に配置することができる。蓋７９０は、下向きに湾曲させられ、それにより抽出材料５５０を圧力下で抑え、抽出材料５５０を移動させずにその内部に維持する。蓋７９０は、抽出材料５５０を、少なくとも約９キログラムの圧縮力（約２０ポンドの力）で圧縮する。蓋７９０は、また、その内部に幾つかの開口８１０を有しており、注入器ヘッド４２０からの水が蓋７９０を通過することを可能にすることができる。注入器ヘッド４２０の性質によっては、必ずしも蓋７９０を使用しなくても良い。その代わり、ホイルの包み又は任意の別の覆いを使用することができる。同様に、過剰切込７６０も、また、所望されるように除去又は改変することができる。
【００３０】
図１６〜図１９は、本発明の応用例のさらなる実施形態である、棘付ポッド８５０を示す。棘付ポッド８５０は、ポッドカートリッジ２１０とともに上記で説明したような、カップ６００、側壁６１０、ベース６２０、リップ７００、及びそれらの要素を使用することができる。棘付ポッド８５０は、また、ベース６２０の床部６３０に沿って配置された幾つかの棘部８６０を備えることができる。棘部８６０は、以下でより詳細に説明するように、濾紙の下層５８０又は抽出材料５５０用の包装を穿刺するように働くことができる。この実施形態では、約１８個の棘部８６０を使用することができる。ただし、任意の所望の個数の棘部８６０を使用することができる。棘部８６０は、ベース６２０の径方向リブ６８０に沿って、又は床部６３０のどこかに沿って位置合せすることができる。
【００３１】
例えば図１９に示すように、棘部８６０は、ベース８８０を取り囲む３個の三角形の刃８７０を備えることができる。刃８７０の先端は、穿刺領域８９０を形成することができる。刃８６０は、任意の所望の形状を有することができる。刃８７０は、約６．３５ミリメートル（約０．２５インチ）の高さを有することができ、ベース８８０は、約３．８ミリメートル（約０．１５インチ）の高さを有することができ、それにより穿刺領域８９０は、ベース８８０の上方で、長さ約２．５４ミリメートル（約０．１インチ）となることができる。ただし、任意の所望の大きさを使用することができる。
【００３２】
使用に際しては、濾紙の下層５８０を、ポッドカートリッジ２１０のカップ６００に配置することができる。下層５８０は、ベース６２０の床部６３０に沿って配置することができる。次いで、ある量の抽出材料５５０を、その中に配置することができる。次いで、所望される場合は、濾紙の上層５７０を抽出材料５５０上に配置することができる。次いで、蓋７９０をカップ６００内に配置して、抽出材料５５０を軽く押さえることができる。蓋７９０が抽出材料５５０を圧縮すると、蓋７９０の縁部８００が、カップ６００の側壁６１０内の適当な過剰切込７６０内に配置される。次いで、ポッド２１０を封止し、或いは飲料ディスペンサーシステム１００等とともに使用するために輸送することができる。
【００３３】
ポッド２１０は、タレットアッセンブリ３１０内のポッド開口３３０のうちの１つの内部に配置することができる。具体的には、ポッド開口３３０の外縁部が、カップ６００のリップ７００のフランジ７２０と位置合せされる。従来の正方形のリップを有するポッド又は別の装置は、ポッド開口３３０の外へと遠くに延出し過ぎて、注入器アッセンブリ３１０の注入ヘッド４２０とともに機能することができない。次いで注入器ヘッド４２０を、ポッド２１０の周りに配置することができる。注入器ヘッド４２０の封止リング６３０は、カップ６００のリップ７００の頂部７１０の周りを封止することができる。関連する圧力の大きさを考慮すると、丸められたリップ又は平坦でない形状のリップの使用により、封止リング４３０に損傷が生じることがある。すなわち上記で説明したように、圧力注入器ヘッド４２０は、約１３６から約１６０キログラム（約３００から約３５０ポンド）の下向きの力でポッドカートリッジ２１０に係合することがあり、流入する水流は、約１１から約１４重量キログラム毎平方センチメートル（約１６０から２００重量ポンド毎平方インチ（ｐｓｉ））で加圧されることがある。ポッドカートリッジ２１０を通って流れる水の圧力は、抽出材料５５０の性質とともに、約１．４から約１４重量キログラム毎平方センチメートル（約２０から約２００重量ポンド毎平方インチ）まで変えることができる。
【００３４】
注入ヘッド４２０を通過する水は、蓋７９０及びその開口８１０上、及び抽出材料５５０内へと拡がることができる。抽出された飲料は次いで、カップ６００のベース６２０内の開孔６４０を通過する。
【００３５】
リップ７００もカップ６００のベース６２０も、大幅な変形を伴わずに上記の水圧に耐えることができる一方、できる限り少ない材料を使用するように設計される。例えばポリプロピレンホモポリマーを使用する場合、カップ６００は全体で、約５から約８グラムのプラスチック材料を内部に有することができる。リップ７００のこの構成は、約０．４から約０．６グラム、又は約１０％の、所要のプラスチックを節約することができる。
【００３６】
棘付ポッド８５０の実施形態では、抽出材料５５０及び下方濾過層５８０を、カップ６００内に配置することができる。注入ノズル２００は、ホイル包装５９０が使用される場合はそれを穿通することができ、又は、水が別のやり方で、上記の水圧でカップ６００内に流入することができる。この水圧は、両方の下方濾過層５８０を棘付ポッド８５０の棘部８６０に押し付け、それにより、これらの棘部８６０が下方濾過層５８０を穿通することを可能にすることができる。棘部８６０によって生じるこの穿刺部は、残りの抽出材料５５０をその内部に実質的に維持しながら、抽出された飲料がそこを通過することを可能にすることができる。抽出材料５９０は、また、棘部８６０によって穿通することができるホイル包装５９０など、別の種類の構造内に収容することができる。
【００３７】
図２０は、本発明の応用例のさらなる実施形態である棘付ポッド９００を示す。棘付ポッド９００は、上記で説明した棘付ポッド８５０と同様である。棘付ポッド９００は、ポッドカートリッジ２１０とともに上記で説明したような、カップ６００、側壁６１０、ベース６２０、リップ７００、及びそれらの要素を使用することができる。棘付ポッド９００はまた、ベース６２０の床部６３０に沿って配置された、幾つかの棘部９１０を備えることができる。この実施形態では、約１５個から約３５個の棘部９１０を使用することができるが、任意の所望の個数をここで使用することができる。棘部９１０は、約５．１から約８．９ミリメートル（約０．２００から約０．３５０インチ）の高さ、又は任意の所望の高さを有することができる。
【００３８】
棘付ポッド９００は、詰まりにくい、より確かな流路を作り出すことによって、チャイティーなど幾つかのべとつく又は粘着性材料の抽出を促進することが意図される。約４から約７グラムの粘着性材料を使用することができる。棘部９１０を、上記で説明した棘部よりいくらか鋭くし、それにより、下方濾過層５８０を穿通し、濾紙５８０と棘部９１０との間に環状孔部を作り出すことができる。棘部９１０は、頂点９２０を有することができ、頂点９２０は、約３°から約１５°又はそれ以上の角度で延在する。角度は、所望されるように変えることができる。具体的には、棘部９１０は、抽出又は混合材料５５０（この場合べとつく又は粘着性のある茶材料）内へと延出し、立体的な濾過部を実際に作り出すことができる。棘部９１０は、抽出材料５５０内へと延出して、境界層状況をもたらし、そこで抽出材料５５０は、棘部９１０上で封止されるが、飲料は、その内部の抽出材料５５０のべとつく性質によって妨げられずに、棘部９１０を伝って落ちる。棘部９１０はこうして、濾紙５８０を鋭く穿通し、それにより濾紙５８０は、棘部９１０上で封止され、十分に緊密な封止部を作り出し、そこを通って抽出材料５５０が浸出することを防止する。濾紙５８０は、水がそこを通る場合の従来の形の濾過と、垂直流路を作り出す固有の形の両方をもたらす。棘付ポッド９００は、ホイル包装５９０を伴わずに使用することが意図されるが、所望される場合ホイル包装を使用することができる。
【００３９】
図２１は、本発明の応用例の更なる実施形態である、同心リングポッド９３０を示す。上記で説明した棘付ポッド８５０、９００と異なり、同心円ポッド９００は、ベース６２０の床部６３０上に配置された幾つかの同心リング９４０を備える。３個の同心リング９４０が示されるが、所望の任意個数のリング９４０を使用することができる。同心リング９４０は、約０．８から約３．２ミリメートル（約０．０３０から約０．１２５インチ）の高さ、又は任意の所望の高さを有することができる。床部６３０が冷却により自然に膨出状になる（ｃｒｏｗｎｉｎｇ）こと、ならびに最も外側のリング９４０上に良好な封止部を提供したいという要望から、高さを径方向で変え、内側リング９４０をより短くすることができる。同心リング９４０は、濾紙５８０をベース６２０から分離し、それにより、開孔６４０のみの場合よりも流れ領域を増大させる。具体的には、流れ領域は、各々約１．６ミリメートル（１／１６インチ）の直径を有する約５４個の穴、又は約１．１平方センチメートル（約０．１６６平方インチ）から、約３８．１ミリメートル（約１．５インチ）の直径又は約１１．４平方センチメートル（約１．７６７１平方インチ）まで、約１．０６６パーセント増大する。同心リング９４０はまた、個別の流れ区域又は混合領域９５０を供し、それにより、より多くの水が同じ流路を通り同じ開孔６４０へと流れる溝路化（チャネリング）する可能性を低減させる。
【００４０】
図２２は、本発明の応用例のさらなる実施形態であるプラットホームポッド９６０を示す。棘付ポッド９００の棘部９１０、又は同心リングポッド９３０内の同心リング９４０の代わりに、プラットホームポッド９６０は、床部６３０及びベース６２０上に配置された幾つかのプラットホーム９７０を備える。図示のように、プラットホーム９７０は、いくらか三角形の形状とすることができるが、任意の所望の形状を使用することができる。約１５個から約３５個のプラットホーム９７０をここで使用することができるが、任意の所望の個数を使用することができる。プラットホーム９７０は、約２．０から約３．２ミリメートル（約０．０８０から０．１２５インチ）の高さ、又は任意の所望の高さを有することができる。支持部９８０は、開孔６４０の上方に混合領域９８０を画成することによってそこを通る流れを増大するために、濾紙５８０を支持する。
【図面の簡単な説明】
【００４１】
【図１】本明細書に記載するようなポッドとともに使用するための、飲料ディスペンサーシステムの一実施形態を示す斜視図である。
【図２】図１の飲料ディスペンサーシステムを示す平面図である。
【図３】図１の飲料ディスペンサーシステムのタレットシステムを示す斜視図である。
【図４】支持プレートの案内車及び戻しばねが仮想線で示される、図１の飲料ディスペンサーシステム注入器アッセンブリを示す斜視図である。
【図５】従動ホイール及びリミットスイッチが破断図で示される、図１の飲料ディスペンサーシステムの注入器アッセンブリを示す後方斜視図である。
【図６】本明細書に記載するようなポッドとともに使用するための、抽出材料の構成を示す側断面図である。
【図７】本明細書に記載するようなポッドとともに使用するための、抽出材料の代替構成を示す側断面図である。
【図８】本発明の応用例のポッドを示す頂部斜視図である。
【図９】図８のポッドを示す底部斜視図である。
【図１０】図８のポッドを示す側面図である。
【図１１】図８のポッドを示す底面図である。
【図１２】図８のポッドを示す側断面図である。
【図１３】図８のポッドのリップを示す側断面図である。
【図１４】蓋を上に有する本出願のポッドの代替実施形態を示す側断面図である。
【図１５】図１４のポッドの内壁を示す側断面図である。
【図１６】本発明の応用例のポッドの代替実施形態を示す斜視図である。
【図１７】図１６のポッドを示す平面図である。
【図１８】図１６のポッドを示す側断面図である。
【図１９】図１６のポッド内で使用される棘部を示す斜視図である。
【図２０】本発明の応用例のポッドの代替実施形態である、棘付ポッドを示す斜視図である。
【図２１】本発明の応用例のポッドの代替実施形態である、同心リングポッドを示す斜視図である。
【図２２】本発明の応用例のポッドの代替実施形態である、プラットホームポッドを示す斜視図である。
【図１】
2009537239.tif 000003
【図２】
2009537239.tif 000004
【図３】
2009537239.tif 000005
【図４】
2009537239.tif 000006
【図５】
2009537239.tif 000007
【図６】
2009537239.tif 000008
【図７】
2009537239.tif 000009
【図８】
2009537239.tif 000010
【図９】
2009537239.tif 000011
【図１０】
2009537239.tif 000012
【図１１】
2009537239.tif 000013
【図１２】
2009537239.tif 000014
【図１３】
2009537239.tif 000015
【図１４】
2009537239.tif 000016
【図１５】
2009537239.tif 000017
【図１６】
2009537239.tif 000018
【図１７】
2009537239.tif 000019
【図１８】
2009537239.tif 000020
【図１９】
2009537239.tif 000021
【図２０】
2009537239.tif 000022
【図２１】
2009537239.tif 000023
【図２２】
2009537239.tif 000024
【国際調査報告】
2009537239.tif 000025
2009537239.tif 000026
2009537239.tif 000027
2009537239.tif 000028